(57)【要約】【課題】不便を感じることなく身体を浴室内で拭くことができる浴室ユニットを提供する。【解決手段】本発明の浴室ユニット（１００）は、浴室空間を形成する複数の壁部（１１，１２，１３，１４）と、前記浴室空間内に配された浴槽（１０２）と、前記浴室空間内における前記浴槽以外の領域に形成された洗い場（１０１）と、前記複数の壁部のうちの前記洗い場に面した壁部のいずれかの面に取り付けられたシャワー装置（１０５）と、前記シャワー装置の吐水領域から外れた壁部に設けられた棚部（１）と、を備えることを特徴とする。【選択図】図１
2019044373.tif 000002
【特許請求の範囲】
【請求項１】
浴室空間を形成する複数の壁部と、
前記浴室空間内に配された浴槽と、
前記浴室空間内における前記浴槽以外の領域に形成された洗い場と、
前記複数の壁部のうちの前記洗い場に面した壁部のいずれかの面に取り付けられたシャワー装置と、
前記シャワー装置の吐水領域から外れた壁部に設けられた棚部と、
を備えることを特徴とする浴室ユニット。
【請求項２】
前記棚部は、少なくとも前記浴槽と前記洗い場との境界部を跨ぐように、且つ上方に設けられている
請求項１に記載の浴室ユニット。
【請求項３】
前記棚部は、前記洗い場の床面からの高さが１８００ｍｍ以上の位置で前記壁部に固定されている
請求項１または請求項２に記載の浴室ユニット。
【請求項４】
前記棚部は、
前記壁部との固定部と、
物品の載置部と、
前記載置部が前記固定部に対して回動可能な回動機構と、
を備え、
前記回動機構により、前記載置部が、水平位置と、前記載置部が前記壁部に面する収納位置とに切替可能に支持される
請求項１から請求項３のいずれか一項に記載の浴室ユニット。
【発明の詳細な説明】
【技術分野】
【０００１】
本発明は、浴室ユニットに関する。
【背景技術】
【０００２】
浴室を構成する部品を予め工場で製造して、施工現場で各部品を組み立てて浴室を構築する浴室ユニットは、工期を短縮でき、且つ、品質を一定に保つことができるため、広く普及している。浴室ユニットでは、浴槽に隣接して設けられる洗い場に、水栓やカウンター等が設けられている（特許文献１）。
【０００３】
また、従来の浴室ユニットでは、浴室の出入口の扉に、身体を拭くためのタオルを掛けるタオル掛けが設けられている場合や、扉のノブがタオル掛けの機能を備えている場合等がある。身体を拭くためのタオルは使用前に十分に乾燥していることが望ましい。そのため、このようなタオル掛けは、入浴時の湯水によりタオルが濡れることを防ぐために浴室外に設けられている。
【先行技術文献】
【特許文献】
【０００４】
【特許文献１】特許第５２７６６１７号公報
【発明の概要】
【発明が解決しようとする課題】
【０００５】
従来の浴室のように、タオル掛けが浴室外に設けられていると、入浴後に使用者は身体が濡れた状態で浴室外に出て濡れた体を拭く必要があった。そのため、脱衣所等、浴室外の床部が濡れるため、床上にバスマットを敷く必要であったり、入浴後に脱衣所の清掃が必要であったり、不便を感じることがあった。
【０００６】
上記事情を踏まえ、本発明は、不便を感じることなく身体を浴室内で拭くことができる浴室ユニットを提供することを目的とする。
【課題を解決するための手段】
【０００７】
本発明に係る浴室ユニットは、浴室空間を形成する複数の壁部と、前記浴室空間内に配された浴槽と、前記浴室空間内における前記浴槽以外の領域に形成された洗い場と、前記複数の壁部のうちの前記洗い場に面した壁部のいずれかの面に取り付けられたシャワー装置と、前記シャワー装置の吐水領域から外れた壁部に設けられた棚部と、を備えることを特徴とする。
【０００８】
この発明によれば、浴室内に棚部が設けられているため、身体を拭くためのタオルを棚部に載置することができる。また、棚部は、シャワー装置の吐水領域から外れた壁部に設けられているため、入浴時にシャワー装置等からの湯水が棚部に飛散することを防ぐことができる。したがって、棚部に載置されたタオルが湯水で濡れることが防止できる。また、使用者は、入浴後に浴室外に出ることなく、棚部に適切な状態で保管されたタオルを使って快適に身体を拭くことができる。また、浴室の出入口は、シャワー装置から遠い位置に設けられる為、使用者がシャワー装置の使用後に出入口へ移動する動線の近傍に棚部が配置されることとなり、浴槽から上がる際にタオルをタイミングよく取ることができる。また、使用者が身体を拭いた後で脱衣所等、浴室外に出ることができるため、脱衣所等の清掃の負担が軽減される。
【０００９】
本発明に係る浴室ユニットでは、前記棚部は、少なくとも前記浴槽と前記洗い場との境界部を跨ぐように、且つ上方に設けられていてもよい。
【００１０】
この発明によれば、棚部が少なくとも浴槽と洗い場との境界部の上方に設けられているため、浴室使用時の使用者の動線上に棚部を配置できる。すなわち、入浴後に使用者が浴槽から洗い場へ移動する動線の近傍に棚部が配置されているため、使用者は従来の動線を変えることなく棚部からタオルを取ることができる。
【００１１】
本発明に係る浴室ユニットでは、前記棚部は、前記洗い場の床面からの高さが１８００ｍｍ以上の位置で前記壁部に固定されていてもよい。
【００１２】
この発明によれば、棚部は、洗い場の床面からの高さが１８００ｍｍ以上の位置の壁部に固定されているため、人が棚部にぶつかるのを防止できるとともに、棚部の上の物を確実に取ることができる。
【００１３】
本発明に係る浴室ユニットでは、前記棚部は、前記壁部との固定部と、物品の載置部と、前記載置部が前記固定部に対して回動可能な回動機構と、を備え、前記回動機構により、前記載置部が、水平位置と、前記載置部が前記壁部に面する収納位置とに切替可能に支持されていてもよい。
【００１４】
この発明によれば、回動機構により、使用時は棚部の載置部を水平位置とし、不使用時は、棚部を収納位置とすることができる。そのため、棚部の不使用時に棚部を壁面の近傍に収めることができるため、棚部が邪魔になることを防ぐことができる。
【発明の効果】
【００１５】
本発明によれば、不便を感じることなく身体を浴室内で拭くことができる浴室ユニットを提供できる。
【図面の簡単な説明】
【００１６】
【図１】第一実施形態に係る浴室ユニットの一例を示す平面図である。
【図２】図１の浴室ユニットの一壁面を示す正面図である。
【図３】第一実施形態に係る浴室ユニットの浴室の側面図である。
【図４】第一実施形態に係る棚部の斜視図である。
【図５】棚部の第一変形例を示す斜視図である。
【図６】棚部の第二変形例を示す斜視図である。
【図７】棚部の第二変形例を示す部分側面図である。
【発明を実施するための形態】
【００１７】
以下、本発明の一実施形態に係る浴室ユニットについて図面を用いて説明する。
図１は本実施形態に係る浴室ユニットの一例を示す平面図である。図２は、本実施形態に係る浴室ユニットの一壁面を示す正面図である。図３は、本実施形態に係る浴室ユニットの浴室の側面図である。
【００１８】
浴室ユニット１００は、建物の躯体内にフレームとパネルとを用いて、床、壁、天井及び浴槽等を組み立てて設置される。浴室ユニット１００は、洗い場１０１（床部）と、平面視で略長方形のフランジを有する浴槽１０２とが平面視矩形の床面を中央で二分するように配置されている。そのため、浴室空間内において、浴槽１０２以外の領域は洗い場１０１となり、洗い場１０１も平面視で略長方形となる。
【００１９】
浴室空間は、四方に立設された壁部１１，１２，１３，１４により形成されている。複数の壁部のうち、浴槽１０２及び長方形の洗い場１０１の一辺に面する壁部を第１壁部１１と称する。第１壁部１１には、シャワー装置等が設けられている。第１壁部１１に隣接し、洗い場１０１に面する壁部を第２壁部１２と称する。第１壁部１１に対向し、洗い場１０１及び浴槽１０２に面する壁部を第３壁部１３と称する。浴槽１０２の長手方向のフランジ１０２ｆに面する壁部を第４壁部１４と称する。
【００２０】
図１に示すように、第１壁部１１に、公知のカラン水栓３０と、シャワー水栓３１と、シャワーヘッド（シャワー装置）１０５と、シャワーヘッドホルダ２と、シャワー固定バー２１と、カウンター４とを備える。シャワーヘッド１０５は洗い場１０１に面した第１壁部１１に設けられている。
【００２１】
カウンター４は、洗い場１０１の床面より上方に離間して設けられており、例えば、石鹸等を載置可能な平台である。カラン水栓３０は給水及び給湯が可能な混合水栓である。シャワー水栓３１は、カラン水栓３０の給水・給湯流路（不図示）から分岐されており、カラン水栓３０と同様に給水及び給湯が可能である。カラン水栓３０及びシャワー水栓３１の給湯温度及び吐水量は操作部３２で調整可能である。
【００２２】
シャワー水栓３１にはホースが接続され、ホースの先端にシャワーヘッド１０５が連結されている。シャワーヘッドホルダ２は、シャワーヘッド１０５が係止可能な部材であり、シャワー固定バー２１を介して第１壁部１１に固定されている。シャワーヘッドホルダ２は、シャワー固定バー２１に摺動可能に取り付けられており、シャワーヘッドホルダ２を任意の高さでシャワー固定バー２１に対して固定することができる。したがって、シャワー固定バー２１及びシャワーヘッドホルダ２により、シャワーヘッド１０５を任意の高さで保持できる。
【００２３】
第３壁部１３のうちの洗い場１０１に面する壁面には出入口１１０が設けられている。出入口１１０には不図示の扉が設けられる。なお、出入口１１０は第２壁部１２に設けられてもよい。
【００２４】
浴槽１０２は、図１に示すように、底部１０２ｃから上端部に向かって傾斜する内側壁１０２ｄを有する。浴槽１０２の上端部から浴槽１０２の上部の外縁部１０２ｅまでは略水平なフランジ１０２ｆが形成されている。洗い場１０１と浴槽１０２の上端部とは、エプロン１０７（図３参照）を介して接続されている。フランジ１０２ｆの短手方向の端部のうち第３壁部１３側の端部と浴槽１０２の上端部との間にはヘッドレスト１０６が設けられている。
【００２５】
浴槽１０２と隣接する側の洗い場１０１の端部の長手方向の略中央部には排水口１０４が設けられている。排水口１０４は、洗い場１０１上を流れる水を排水するために設けられており、不図示の排水経路に接続されている。排水口１０４の上部には、排水口カバー１０３が着脱可能に取り付けられている。
【００２６】
棚部１は、第３壁部１３に取り付けられている。図４に棚部１の斜視図を示す。図１から図４に示すように、棚部１は、支持部６０と、載置部６１とを備える。支持部６０は、第３壁部１３から第１壁部１１側に水平に突出している。支持部６０は、同じ高さで離間して２つ設けられている。
【００２７】
２つの支持部６０の間に、支持部６０に直交する方向に４本の円柱状のバーが架設されて載置部６１が形成されている。載置部６１は略水平な載置面を構成する。棚部１は、樹脂製、ステンレス製等、防錆性を備える材料で形成されていればよい。また、載置部６１は、物品が載置可能に構成されていればよく、バーの数は４本に限定されるものではなく、複数本のバーで構成されていればよい。
【００２８】
載置部６１は、例えば、タオル等の物品が載置可能な載置面を有する。棚部１は、第３壁部１３の壁面からの突出寸法（奥行）が２００ｍｍ、第３壁部１３に沿う方向の長さ（幅）が４００ｍｍである。
【００２９】
なお、棚部１は、複数の壁部１１、１２、１３及び１４のうち、洗い場１０１に面する壁部１１、１２、１３であって、洗い場１０１に面する位置の壁面に固定されることが好ましい。使用者が不便を感じることなく棚部１からタオルを取り、身体を浴室内で拭くことができるからである。
【００３０】
棚部１は、シャワーヘッド１０５の吐水領域から外れた壁部に設けられればよい。シャワーヘッド１０５の吐水領域Ｒとは、洗い場１０１に面する第１壁部１１に取り付けられたシャワーヘッドホルダ２に係止されたシャワーヘッド１０５から吐水された湯水が着水する洗い場１０１上の領域である。本実施形態では、シャワー固定バー２１を備えるので、シャワーヘッド１０５を係止する高さが可変である。この場合、シャワー固定バー２１の最も高い位置に固定されたシャワーヘッドホルダ２にシャワーヘッド１０５が固定された場合に、シャワーヘッド１０５からの湯水の吐水領域Ｒが最大となる。そこで、最大の吐水領域Ｒから外れた洗い場１０１の領域の上部に棚部１が位置するように、洗い場１０１に面する壁部１１，１２，１３のうちいずれかに棚部１を固定すればよい。棚部１は、特に、出入口１１０により近い第２壁部１２または第３壁部１３に取り付けると、使用者が入浴後に出入口１１０に向かう動線の近傍に棚部１が配置されることとなり、浴槽から上がる際にタオルをタイミングよく取ることができる。本実施形態では、第３壁部１３に出入口１１０が設けられた例を示しているが、第２壁部１２に出入口が設けられる場合も同様に、棚部１は、特に、出入口１１０により近い第２壁部１２または第３壁部１３に取り付けると利便性が高い。
【００３１】
例えば、複数の壁部のうちの洗い場１０１の縁部の上方の壁部（例えば第１壁部１１）にシャワーヘッド１０５が取り付けられている場合、複数の壁部のうちの浴槽１０２及び洗い場１０１に面する壁部（第１壁部１１、第３壁部１３）の一方であって、シャワーヘッド１０５からの距離が遠い壁部（第３壁部１３）は吐水領域Ｒから外れた壁部となり、第３壁部１３に棚部１が設けられていればよい。この他、第２壁部１２の出入口近傍の領域もシャワーヘッド１０５からの距離が遠く、吐水領域Ｒから外れた壁部となり、第２壁部１２の出入口近傍に棚部１を設けてもよい。
【００３２】
本実施形態では、図１に示すように、棚部１は、平面視において、浴槽１０２と洗い場１０１との境界部を跨ぐように、第３壁部１３の上部に固定されている。平面視における棚部１の位置は、棚部１の幅方向の端部（第３壁部１３に向かって見たときの右側の支持部６０１の外側端部。図２参照。）が浴槽１０２の短手方向の略中央部よりも洗い場１０１側に位置すればよい。
このような位置に棚部１が設けられると、入浴後に浴槽１０２から洗い場１０１に移動して出入口１１０へ向かう使用者の動線の近傍に棚部１が配置されることとなり、浴槽１０２から上がる際にタオルをタイミングよく取ることができる。
【００３３】
一方、棚部１が浴槽１０２の短手方向の略中央部よりも第４壁部１４側に位置すると、洗い場１０１に立つ使用者の手が棚部１に届きにくく利便性が低下する。また、浴槽１０２の短手方向の中央部の上部であって、第１壁部１１と第３壁部１３とに、物干し用のランドリーパイプ（不図示）を架設する場合があるが、棚部１を、平面視において、浴槽１０２と洗い場１０１との境界部を跨ぐように配置することにより、ランドリーパイプの架設位置と、棚部１とが干渉しない。
【００３４】
図３に示すように、浴室の洗い場１０１から天井１０８までの高さＨ１は２２００ｍｍである。棚部１の載置部（載置面）６１の洗い場１０１の床面からの高さＨ２は、１８００ｍｍである。洗い場１０１から浴槽１０２のフランジ１０２ｆまでの高さは、４５０ｍｍである。
棚部１の高さＨ２は、１８００ｍｍ以上であれば、入浴時に使用者が棚部１にぶつかるのを防止できるとともに、棚部１の上に載置された物品を円滑に取ることができる。
【００３５】
本実施形態に係る浴室ユニット１００は、浴室内に棚部１が設けられているため、身体を拭くためのタオルを棚部１に載置することができる。また、棚部１は、シャワーヘッド１０５からの距離が遠い第３壁部１３に設けられているため、入浴時にシャワーヘッド１０５等から吐出される湯水が棚部１に飛散することを防ぐことができる。したがって、棚部１に載置されたタオルが湯水で濡れることが防止でき、使用者は、入浴後に浴室外に出ることなく、棚部１に適切な状態で置かれたタオルを使って快適に身体を拭くことができる。また、使用者が身体を拭いた後で脱衣所等、浴室外に出ることができるため、脱衣所等の清掃が軽減されるという効果を奏する。
【００３６】
本実施形態に係る浴室ユニット１００では、棚部１が少なくとも浴槽１０２と洗い場１０１との境界部の上方に設けられているため、浴室使用時の使用者の動線上に棚部１を配置できる。すなわち、使用者が浴槽１０２から洗い場１０１へ移動する動線の近傍に棚部１が配置されているため、使用者は従来の動線を変えることなく棚部１からタオルを取ることができる。あるいは、一般に、浴室の出入口１１０は、シャワーヘッド１０５から遠い位置に設けられる。このため、使用者がシャワーヘッド１０５の使用後に出入口１１０へ移動する動線の近傍に棚部１が配置されることとなり、浴槽１０２から上がる際にタオルをタイミングよく取ることができる。
【００３７】
本実施形態に係る浴室ユニット１００では、洗い場１０１の床面からの高さＨ２が１８００ｍｍ以上の位置に棚部１が固定されているため、使用者が棚部１にぶつかるのを防止できるとともに、載置部６１上のタオル等の物品を円滑に取ることができる。
【００３８】
棚部１は、浴槽１０２及び洗い場１０１の平面視におけるそれぞれの中心よりも待避した位置に設けられているため、浴槽１０２内や洗い場１０１内で使用者が立ち上がった姿勢でも、棚部１に干渉し難い。
また、棚部１は浴槽１０２内で平面視の中心よりも待避した位置に設けられているため、湯気の影響を受け難く、タオルを良好な状態で保管できる。
【００３９】
以上、本発明の実施形態について図面を参照して詳述したが、具体的な構成はこの実施形態に限られるものではなく、本発明の要旨を逸脱しない範囲の設計変更等も含まれる。
【００４０】
図５に第一変形例の棚部１Ａを示す。第一変形例の棚部１Ａは、載置部６１Ａの形態が第一実施形態の棚部１と異なる。本変形例の載置部６１Ａは、ステンレスまたは樹脂製の平板に厚さ方向に複数の貫通孔が形成された板状に構成されている。このように、複数の貫通孔を有する板状の載置部６１Ａであると、タオル以外の小物を棚部１Ａに載置しやすい。また、複数の貫通孔が形成されているので、例えば、清掃時に載置部６１Ａに湯水を掛けた場合に水捌けが良い。
【００４１】
図６及び図７に、第二変形例の棚部１Ｂを示す。第二変形例の棚部１Ｂは、壁部への固定部６３と、支持部６０Ｂが固定部６３に対して回動可能な回動機構６４と、を備える。固定部６３には、支持部６０Ｂの係止端６０２が収容される凹部６２を備え、凹部６２内の対向する面に水平方向に延びる水平溝部６４１が形成されている。
【００４２】
図７に示すように、支持部６０Ｂの係止端６０２には、固定部６３の凹部６２に対向する両側面に、両側面から直交方向に突出するシャフト６５が設けられている。固定部６３には、支持部６０Ｂの係止端６０２が挿入可能な係止溝６３１が、奥行方向の中間部から壁面側に延びて形成されている。水平溝部６４１は、係止溝６３１内まで延設されている。シャフト６５、水平溝６４１、及び係止溝６３１は回動機構６４を構成する。
【００４３】
水平溝６４１内にはシャフト６５が挿入されており、支持部６０Ｂが固定部６３に対して回動可能に構成されている。支持部６０Ｂのシャフト６５が水平溝６４１内で回動し、載置部６１が第３壁部１３の壁面に対して回動する。載置部６１が水平方向に位置すると、支持部６０Ｂの係止端６０２が係止溝６３１に進入可能となり、使用者が載置部６１を水平方向に押し込むと、載置部６１が水平方向に位置する状態で保持される。
【００４４】
一方、棚部１Ｂは、回動機構６４により支持部６０Ｂがシャフト６５を中心に回動して、壁部に面する収納位置に切替可能である。例えば、水平位置に保持された支持部６０Ｂを使用者が手前側（第３壁部１３から離間する方向）に引き、係止端６０２が係止溝６３１よりも手前側に移動すると、支持部６０Ｂが回動可能な状態となり、載置部６１が第３壁部１３に面する位置まで上方向に回動して壁面に沿う位置まで移動すると、係止端６０２が、固定部６３１の下部延出部６３２に載置された収納位置に変更することができる。なお、下方向に回動させる場合は、固定部６３１の下部延出部６３２を形成せず、支持部６０Ｂを手前側に引いて係止端６０２が係止溝６３１から外れると、下方向に回動可能な状態となり、自重により下方向で壁面に沿う収納位置で保持される。
【００４５】
なお、棚部１Ｂは、回動機構６４により上方向に回動する構成でも下方向に回動する構成でもよい。特に、回動機構６４により載置部６１の下面が第３壁部１３に面するように下方向に回動すると、背が低い使用者であっても、手が届く範囲で載置部を回動できる。
【００４６】
上記実施形態では、棚部１を第３壁部１３に設ける例を示したが、本発明がこれに限定されない。例えば、第２壁部１２の第３壁部１３寄りの壁面上部に棚部１を設けてもよい。
【００４７】
また、上記実施形態では、浴槽１０２と洗い場１０１とに面する第１壁部１１にシャワーヘッド１０５を設ける例を示したが、シャワーヘッド１０５の取付位置はこの例に限定されない。例えば、シャワー装置を第２壁部１２に取り付けてもよい。
【００４８】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【符号の説明】
【００４９】
１  棚部
１０５  シャワーヘッド（シャワー装置）
１１  第１壁部（壁部）
１２  第２壁部（壁部）
１３  第３壁部（壁部）
１４  第４壁部（壁部）
６３  固定部
６１  載置部
６４  回動機構
１００  浴室ユニット
１０１  洗い場
１０２  浴槽
【図１】
2019044373.tif 000003
【図２】
2019044373.tif 000004
【図３】
2019044373.tif 000005
【図４】
2019044373.tif 000006
【図５】
2019044373.tif 000007
【図６】
2019044373.tif 000008
【図７】
2019044373.tif 000009